Podtech/llm-jp-corpus-v4-ja_patent huggingface dataset:
(57)【特許請求の範囲】
【請求項１】
スマートフォンを始めとする携帯情報端末に内蔵されているカメラレンズ部分及び音声通話用マイク部分に、それぞれ可動式のカメラレンズ遮蔽カバーと通話用マイク遮蔽カバーを設けて構成される端末カバー。
【発明の詳細な説明】
【技術分野】
【０００１】  本発明は、スマートフォンを始めとする携帯情報端末をプライバシーの保護に留意しながら使用することができる携帯情報端末カバーに関する。
【背景技術】
【０００２】  従来から、携帯情報端末カバーとして、下記に示す特許文献１、２で開示されたカバーが提案されている。【０００３】  特許文献１で開示されている携帯情報端末カバーは、機器本体を汚れや傷から保護することを解決するものである。【０００４】  特許文献２で開示されている携帯端末カバーは、携帯端末から発生する熱による不快感を回避することを解決するものである。
【先行技術文献】
【特許文献】
【０００５】
【特許文献１】特開２０１３−５５５１０号公報
【特許文献２】特開２０１３−１５００６７号公報
【発明の概要】
【発明が解決しようとする課題】
【０００６】  近時、コンピューターウイルスによる企業や個人が所有保持する情報データの漏洩は、インターネットが主要な社会的インフラとなっている現代社会において、とりわけ深刻な問題となっている。【０００７】  企業や個人のパーソナルコンピューターを、情報を窃取する攻撃対象としてきたコンピューターウイルスは、その矛先をパーソナルコンピューターに匹敵する性能を備えた個人の所有するスマートフォンを始めとする携帯情報端末に向けている現状がある。【０００８】  スマートフォンを始めとする身近な携帯情報端末は、四六時中肌身から離さずに保有する傾向が強く、言い換えれば個人のプライバシーの塊であるともいえるため、それらの機器からの情報漏洩の防止は喫緊の課題といえる。
【課題を解決するための手段】
【０００９】  悪意のあるコンピューターウイルスによる個人の携帯情報端末への攻撃対象は、機器本体に保存されている個人情報の窃取のみならず、機器に内蔵されているカメラの操作や音声通話用マイクの操作に向けられることが予想されるため、万一所有者が意図しない操作をされたとしても、被害を最小限にとどめる対策を取ることが望ましい。【００１０】  そこで、上記のような所有者が意図しない操作による被害を防ぐために、携帯情報端末カバーのカメラレンズ部分及び音声通話用マイク部分に遮蔽カバーを設けることとする。【００１１】  勿論、カメラ撮影時や音声通話時に従来と同様の快適性を維持しながら使用することができるよう、最小限の設備と動作でプライバシーの保護を強化した状態にできることが好ましい。【００１２】  そのような状態を最小限の動作で実現するために、一案として、携帯情報端末のカメラレンズと音声通話用マイク対応部にスライド式の遮蔽カバーを設けることが試案される。それ以外の方法であっても、カメラレンズとマイク部分を遮蔽することで、意図しない操作による被害を最小限にとどめることができればその形状には拘らない。
【発明の効果】
【００１３】  以上のように、本発明によれば、カメラレンズ及び音声通話用マイク対応部に遮蔽カバーを備えることで、悪意のあるコンピューターウイルスによる、所有者の意図しない操作に対する被害を最小限にとどめることができる。
【図面の簡単な説明】
【００１４】
【図１】カメラレンズとマイク部分の遮蔽カバーを収納した状態の端末カバー平面図
【図２】カメラレンズとマイク部分の遮蔽カバーを引出した状態の端末カバー平面図
【発明を実施するための形態】
【００１５】  以下、本発明の実施の形態の詳細を図１及び図２に基づいて説明する。図１は、携帯情報端末１にカバー２が装着され、カメラ撮影時及び音声通話時にはカメラレンズ３と音声通話用マイク４対応部の遮蔽カバー５、６を収納して使用する状態の平面図である。
【００１６】  図２は、携帯情報端末１にカバー２が装着され、カメラレンズ３と音声通話用マイク４対応部の遮蔽カバー５、６を引出して、意図しないカメラ及びマイクの操作による被害を最小限にとどめるようにする状態の平面図である。
【符号の説明】
【００１７】１  携帯情報端末
２  携帯情報端末に装着されたカバー
３  携帯情報端末に内蔵されたカメラレンズ
４  携帯情報端末に内蔵された音声通話用マイク
５  カメラレンズ対応部遮蔽カバー
６  音声通話用マイク対応部遮蔽カバー
【要約】
【課題】  スマートフォン等の携帯情報端末を、プライバシーを護りながら快適に使用できる端末カバーの提供。
【解決手段】  スマートフォンを始めとする携帯情報端末に内蔵されているカメラレンズ部分及び通話用マイク部分に、それぞれ可動式のカメラレンズ遮蔽カバーと通話用マイク遮蔽カバーを備えることで構成される。カメラ使用時には可動式のカメラレンズ遮蔽カバーを収納し、カメラ使用後には再び遮蔽カバーでカメラレンズを覆って自らが意図しないカメラの撮影を防止する。同様に通話用マイク部分にも遮蔽カバーを備え、音声通話をしていない状態での自らが意図しない周囲音声の漏えいを防止することが可能となる。
【選択図】図１【図１】
0005547862.tif 000002
【図２】
0005547862.tif 000003
(57)【特許請求の範囲】
【請求項１】
ケーシングと排気管で形成する環状空間に旋回羽根を配置し、前記旋回羽根の上方を入口に連結し、前記排気管の内側の孔を通してその上方を出口に連結し、前記環状空間の下方に旋回室と該旋回室の下方に液溜室を形成して該液溜室の下部を排液口に連結し、前記排気管と前記液溜室の間に下端部をプラグにより閉止状態とした流体ろ過用の円筒状フィルターを配置したものにおいて、前記プラグの外周壁と前記ケーシングの内周壁との間に前記円筒状のフィルターの軸方向に沿って前記円筒状フィルターの軸中心から放射状に延びる衝突板を配置したことを特徴とする気液分離器。
【発明の詳細な説明】
【技術分野】
【０００１】
本発明は、蒸気や圧縮空気や各種ガス等の気体中に混入している復水や凝縮水等の液体をケーシング内に旋回流を起こし遠心力によって分離する気液分離器に関し、特にケーシング内に流体をろ過するフィルターを配置したものに関する。
【背景技術】
【０００２】
従来の気液分離器は、例えば特許文献１に開示されている。これは、ケーシングと排気管で形成する環状空間に旋回羽根を配置し、旋回羽根の上方を入口に連結し、排気管の内側の孔を通してその上方を出口に連結し、環状空間の下方に旋回室と該旋回室の下方に液溜室を形成して該液溜室の下部を排液口に連結し、排気管と液溜室の間に下端部をプラグにより閉止状態とした流体ろ過用の円筒状フィルターを配置し、旋回室と液溜室の間に外側のケーシング内周壁との間に流体通過用の隙間を設けた隔壁部材を配置したものである。
【先行技術文献】
【特許文献】
【０００３】
【特許文献１】特開２００４−３４０４５２号公報
【発明の概要】
【発明が解決しようとする課題】
【０００４】
上記従来の気液分離器においては、分離された液体が再び気体流に巻き込まれて出口に運び出されてしまうために気液の分離効率が悪い問題点があった。これは、旋回室の中央よりを旋回している微少な液体が液溜室に流入できないためである。
【０００５】
したがって本発明が解決しようとする課題は、分離された液体が液溜室に流入し易くして気液の分離効率の良い気液分離器を提供することである。
【課題を解決するための手段】
【０００６】
上記の課題を解決するために、本発明の気液分離器は、ケーシングと排気管で形成する環状空間に旋回羽根を配置し、旋回羽根の上方を入口に連結し、排気管の内側の孔を通してその上方を出口に連結し、環状空間の下方に旋回室と該旋回室の下方に液溜室を形成して該液溜室の下部を排液口に連結し、排気管と液溜室の間に下端部をプラグにより閉止状態とした流体ろ過用の円筒状フィルターを配置したものにおいて、プラグの外周壁とケーシングの内周壁との間に円筒状のフィルターの軸方向に沿って衝突板を配置したことを特徴とするものである。
【発明の効果】
【０００７】
本発明によれば、プラグの外周壁とケーシングの内周壁との間に円筒状のフィルターの軸方向に沿って衝突板を配置したことにより、旋回室の中央よりを旋回している微少な液体が衝突板に衝突して衝突板に沿って液溜室に流下するので、分離された液体が液溜室に流入し易くなるという効果を奏する。
【図面の簡単な説明】
【０００８】
【図１】本発明の実施の形態に係わる気液分離器の断面図である。
【発明を実施するための形態】
【０００９】
以下、本発明の実施の形態について、図1を参照して説明する。ケーシングは円筒状本体１と出入口部材２をクランプ継手３で結合し、本体１の下部に底蓋４を溶接により結合して形成する。出入口部材２には左右同軸上に入口６と出口７を設け、上端中央にプラグ孔５を設ける。プラグ孔５は逆洗用の流体配管を接続したり圧力計を接続したりするために使用する。底蓋４には下端中央に排液口８を設ける。出入口部材２に連通口９を開けた弁座１６をネジ結合する。出入口部材２と弁座１６の間には排気管１０の上端の内向きフランジを間に挟むことにより、排気管１０を出入口部材２に固定する。排気管１０は二重のほぼ円筒形状で、内側円筒の上下端部を末広がりに形成する。排気管１０の外側円筒は省略して本体１で兼用することもできる。排気管１０の内外円筒の間に形成される環状空間１１に、排気管１０と一体に旋回羽根１２を形成する。
【００１０】
入口４は連通孔１３を通して下方の環状空間１１に連結し、排気管１０の内側は弁座１６の連通口９を介して上方の出口５に連結する。本体１の下部内面と底蓋６の内面との間に旋回室１４と、この旋回室１４の下方に液溜室１５を形成し、液溜室１５の下端を排液口８に連結する。旋回室１４と排気管１０の内側に長尺円筒状の中空フィルター２２を配置する。フィルター２２は上端を弁座１６に溶接により固定し、下端部にプラグ２３を溶接により固定して閉止状態とする。フィルター２２は多数の微細な貫通孔を有し、入口４と環状空間１１を流下してきた流体からゴミやスケール等の異物を捕捉して流体を出口５側へ排出するものである。フィルター２２のろ過粒度は０．５マイクロから１０マイクロ程度が好適である。フィルター２２は全長の約半分が排気管１０内に位置し、残りの約半分が旋回室１４内に位置する。
【００１１】
プラグ２３の外周壁と本体１及び底蓋４の内周壁との間に円筒状のフィルターの軸方向に沿って衝突板２４を配置する。本実施の形態では衝突板２４は放射状に複数枚例えば左右及び前後に４枚配置する。衝突板２４は上端をプラグ２３の外周壁上部に溶接により固定する。衝突板２４は旋回室１４の中央よりを旋回している微少な液体を衝突させて液溜室に流下させるものである。
【００１２】
上記の気液分離器の動作は次の通りである。入口６から入った液体やゴミやスケール等の異物を含む気体は旋回羽根１２で旋回される。質量の大きな液体や粒度の大きな異物は遠心力の作用で外側に振り出されて分離され、本体１の内周壁に沿って流下し、液溜室１５に流入して排液口８から系外に排出される。旋回室１４の中央よりを旋回している微少な液体は衝突板２４に衝突して衝突板２４に沿って液溜室１５に流入して排液口８から系外に排出される。
【００１３】
旋回室１４の中央よりを旋回している微少な液体は衝突板２４に衝突して衝突板２４に沿って液溜室１５に流入するので、分離された液体が液溜室１５に流入し易くなり、気液の分離効率が良くなる。
【産業上の利用可能性】
【００１４】
本発明は、気体中に混入している液体をケーシング内に旋回流を起こし遠心力によって分離すると共にケーシング内に流体をろ過するフィルターを配置したあらゆる種類の気液分離器に利用することができる。
【符号の説明】
【００１５】
１  本体
２  出入口部材
３  クランプ継手
４  底蓋
５  プラグ孔
６  入口
７  出口
８  排液口
９  連通口
１０  排気管
１１  環状空間
１２  旋回羽根
１３  連通孔
１４  旋回室
１５  液溜室
１６  弁座
２２  フィルター
２３  プラグ
２４  衝突板
【図１】
0005547009.tif 000002
(57)【特許請求の範囲】
【請求項１】
針金のような金属製の線材またはプラスチックや樹脂等の細い丈夫な素材を用いて、Ｕ字状の吊り掛け部（３）を形成し、Ｕ字の吊り掛け開口部（２）の両端から連続しつつ垂直上方へ７〜１０ｃｍ程の地点まで起立させた起立部（４）を設け、その地点から更に連続しつつ直角に吊り掛け部（３）側（図１及び図２参照）またはその反対側に（図３参照）平行的に延伸させ、長さ１５〜２０ｃｍ程の取り付け部（５）を形成し、吊り掛け部（３）叉はこの線材全体、或いはこの線材の一部分をビニール素材の保護材によって被覆し、また、棚板など取り付け対象部（７）の形状が、奥行きの長い平ら面でなく、縦板状のような場合は、取り付け部（５）の長さは板の厚みを跨いで掛け留め固定できる程の短い鉤型形状にしたことを特徴とする靴吊るしホルダー。
【発明の詳細な説明】
【技術分野】
【０００１】  本発明は、靴の形を問わず、靴の型崩れ防止、靴を省スペースで収納できる吊るし型のホルダーに関するものである。
【背景技術】
【０００２】  ブーツの筒状部内に挿入するスタンド式のブーツの収納具（特許文献１参照）や靴収納保持具を靴の中に挿入して収納する靴収納具も知られている。（特許文献２参照）
【特許文献】
【特許文献１】  特開２００８−２５３４６２
【特許文献２】  特開２００４−１２１６７４
【発明の開示】
【発明が解決しようとする課題】
【０００３】  （イ）スタンド式のブーツ収納具はブーツ以外の靴の収納具として、使用できない難点        がある。
（ロ）上記援用したパンプスや学生靴のような甲の短い靴の収納具は甲の長い紳士靴や        スニーカ、筒のあるブーツ類の収納具として、兼用できない欠点がある。
【課題を解決するための手段】
【０００４】  針金のような金属製の線材またはプラスチックや樹脂等の細く丈夫な素材を用いて、Ｕ字状の吊り掛け部を形成し、Ｕ字の開口部の両端から連続しつつ垂直上方へ約７〜１０ｃｍ程の地点まで起立させた起立部を設け、その地点から更に連続しつつ直角に吊り掛け部側またはその反対側に平行的に延伸させ、長さ１５〜２０ｃｍ程の取り付け部を形成し、吊り掛け部又はこの線材全体、或はこの線材の一部分をビ二−ル素材の保護材によって被覆する。
以上を特徴とする靴吊るしホルダーである。
【発明の効果】
【０００５】  靴の底を上にして、吊り掛け開口部に通し、靴の甲を吊り掛け部にのせ、取り付け部によって、靴を吊るして収納することができる。
靴を吊るして収納する方法は、靴の型崩れの防止ができるだけではなく、省スペースでの収納効果も実現できる。また、吊り掛け開口部は自由に拡縮できるので、ブーツ、紳士靴、スニーカ等、どんなタイプの靴もどんな靴幅の靴でも、簡単に吊るすことができる。
ブーツの素材によって、脱いだ後のブーツの筒の部分が折り下がる癖がある。右側におり下がる癖のある場合は片足のブーツが右側に吊るせば、折り下がる側のストッパーになる効果がある。また、筒の内部に折曲がらないように、円椎のような物体を挿入しなくても、地面に起立した状態で、置くことができる。よって、筒の内部に空気の流れができ、ブーツの筒内部の嫌の匂いの発生が防ぐことができる。
吊り掛け部と起立部分に保護材を覆わせているので、吊り掛け部にのせている靴自体の重みで靴の素材に吊り掛け部の跡が残る心配もない。
【図面の簡単な説明】
【０００６】
【図１】  本発明の斜視図
【図２】  本発明の実施例を示すイメージ図
【図３】  本発明の別の実施例を示すイメージ図
【発明を実施するための最良の形態】
【０００７】  以下、本発明の実施の形態を説明する。
針金のような金属製の線材又はプラスチックや樹脂などの細く丈夫な素材を用いて、Ｕ字状の吊り掛け部（３）を形成し、Ｕ字の開口部の両端から連続しつつ垂直上方へ７〜１０ｃｍ程の地点まで起立させた起立部（４）を設け、その地点から更に連続しつつ直角に吊り掛部（３）側、またはその反対側に平行的に延伸させ、長さ１５〜２０ｃｍ程の取り付け部（５）を形成し、吊り掛け部（３）またはこの線材全体、或はこの線材の一部分をビニール材等の保護材（６）によって被覆する。なお、取り付け対象部（７）の形状によって［図３］のように取り付け部（５）の長さが短く、末端を鉤形に形成したものが適している場合もある。
本発明は、以上のような構成である。
以下、［図２］［図３］に沿って実施例を説明する。
（イ）取り付け対象部（７）がブーツの上部にあって、ブーツを吊るしている場合（図２      ）、ブーツの底を上にして、吊り掛け開口部（２）に挿入し、吊り掛け部（３）に      ブーツの甲をのせて、取り付け対象部（７）の取り付け部（５）によって、ブーツ      を取り付け対象部（７）の棚板に吊るして収納する。
（ロ）取り付け対象部（７）が靴の背面にあって、靴の吊るしている場合（図３）、取り      付け部（５）は吊り掛け部（３）の反対方向に形成してあり、靴のかかとの後ろを      壁面に接した形で、棚板に吊るすことができる、
【符号の説明】
【０００８】  １  靴吊るしホルダー
２  吊り掛け開口部
３  吊り掛け部
４  起立部
５  取り付け部
６  保護材
７  取り付け対象部
【図１】
0005441073.tif 000002
【図２】
0005441073.tif 000003
【図３】
0005441073.tif 000004
(57)【特許請求の範囲】
【請求項１】
スクリュ圧縮機であって、
主ロータ（１）および副ロータ（２）の２つのロータが設けられており、該主ロータ（１）が、駆動軸端部（３）を備えており、両方のロータ（１，２）が、一体的に形成された共通の１つのケーシング（８）によって包囲されており、該ケーシング（８）が、インレットポート（７）とアウトレットポートとを備えており、両方のロータ（１，２）の成形部分が、それぞれロータ歯部の両側に軸付加部（４）を備えており、両方の軸付加部（４）が、それぞれラジアル軸受（５，９）によって包囲されており、スラスト軸受（６）が設けられており、スラスト軸受（６）が、吐出側の軸端部に配置されている形式のものにおいて、
両方のロータ（１，２）の第１のラジアル軸受（５）と、第２のラジアル軸受（９）を包囲する支持フランジ（１０）とが、ケーシング（８）のケーシング孔内に全体的に直に嵌め込まれており、支持フランジ（１０）がケーシング孔に嵌め込まれることにより、ケーシング孔内で、主ロータ（１）を支持する第１および第２のラジアル軸受（５，９）の中心点が、主ロータ（１）の回転軸線上に配置されており、副ロータ（２）を支持する第１および第２のラジアル軸受（５，９）の中心点が、副ロータ（２）の回転軸線上に配置されていることを特徴とする、スクリュ圧縮機。
【請求項２】
圧縮機の吸込側で、第１のラジアル軸受（５）の外輪が、ケーシング（８）に直に隣接している、請求項１記載のスクリュ圧縮機。
【請求項３】
吐出側で、第２のラジアル軸受（９）の外輪が、支持フランジ（１０）に直に隣接している、請求項１記載のスクリュ圧縮機。
【請求項４】
支持フランジ（１０）が、軸方向でエンドケーシング（１１）に隣接している、請求項１記載のスクリュ圧縮機。
【発明の詳細な説明】
【技術分野】
【０００１】
本発明は、極めて大きな圧縮圧力に作動媒体を圧縮するためのスクリュ圧縮機であって、少なくとも４つの歯を備えた、実質的に凸状の歯側面を有する主ロータと副ロータとの２つのロータが設けられており、主ロータが、駆動軸端部を備えており、両ロータが、ケーシングによって包囲されており、ケーシングが、ロータ対の歯の隙間に作動媒体を進入させるための少なくとも１つのインレットポートと、ロータの回転に基づいてロータ対の歯の隙間からガスを押し出すための少なくとも１つのアウトレットポートとを備えている形式のものに関する。
【背景技術】
【０００２】
ロータの成形部分は、軸付加部を備えており、軸付加部は、ラジアル軸受によって包囲されており、軸付加部に生じるスラスト力は、スラスト軸受によって吸収される。ロータの成形部分は極めて短い。ロータ対の成形部分の軸方向長さは、隣接する歯側面の２つの歯側面点間の軸方向距離に相当する、軸方向の歯分布の約１．４倍に相当する値を有している。公知の圧縮機は、ロータの軸受を収容する複数のケーシング部分を備えている。ケーシング部分は、基準点で固定したあとで、適当な手段によって相互結合される。
【０００３】
このような構成では、ロータが極めて短いロータ成形部を備えている場合、軸受内で許容できない傾斜姿勢を占めることになる。なぜならばロータの両側に配置されたラジアル軸受間の軸方向間隔が極めて短く形成されているからである。
【０００４】
このことは、軸受の耐用年数および負荷能力に関して許容されない。
【発明の開示】
【発明が解決しようとする課題】
【０００５】
したがって本発明の課題は、冒頭で述べた形式のスクリュ圧縮機を改良することである。
【課題を解決するための手段】
【０００６】
この課題を解決するための本発明の装置によれば、極めて大きな圧縮圧力のためのスクリュ圧縮機であって、主ロータおよび副ロータの２つのロータが設けられており、該主ロータが、駆動軸端部を備えており、両ロータが、ケーシングによって包囲されており、該ケーシングが、インレットポートとアウトレットポートとを備えており、ロータの成形部分が、軸付加部を備えており、軸付加部が、ラジアル軸受によって包囲されており、スラスト軸受が設けられており、スラスト軸受が、吐出側の軸端部に配置されている形式のものにおいて、ラジアル軸受と、ラジアル軸受を包囲する支持面とが、ケーシング孔に形状接続式に隣接しており、ラジアル軸受および支持面の中心点が、ケーシングの２つの平行軸線上に配置されている。
【０００７】
有利には、圧縮機の吸込側で、ラジアル軸受の外輪が、ケーシングに直に隣接している。
【０００８】
有利には、吐出側で、ラジアル軸受の外輪が、同心的な支持面に形状接続式に隣接している。
【０００９】
有利には、支持面が、軸方向でエンドケーシングに隣接している。
【発明の効果】
【００１０】
本発明の構成では、ロータを包囲する全ての構成部材が、ケーシングの孔に配置されており、構成部材の中心点は、総じてケーシングの２つの平行軸線上に配置されている。構成部分は、吸込側のラジアル軸受および吐出側のラジアル軸受であって、これらは同心的な支持フランジに配置されている。このようにすることによって、軸受および軸受に隣接する構成部材は、外周面で、同一のケーシングにガイドされるので、組立に起因する同軸的なずれは生じない。
【発明を実施するための最良の形態】
【００１１】
次に本発明の実施の形態を、図示の実施例を用いて詳しく説明する。
【００１２】
図１には、１００ｂａｒの圧縮圧力に作動媒体を圧縮するための、主ロータ１および副ロータ２の２つのロータを備えた、本発明によるスクリュ圧縮機を示しており、ここでは主ロータ１は、駆動軸端部３を備えており、両ロータは、ケーシング８によって包囲されており、ケーシング８は、作動媒体をロータ対の歯の隙間に進入させるためのインレットポート７と、ロータの回転に基づいてロータ対の歯の隙間からガスを押し出すための図示していないアウトレットポートとを備えている。ロータの成形部分は、軸付加部４を備えており、軸付加部４は、吸込側のラジアル軸受５と吐出側のラジアル軸受９とによって包囲されていて、生じるスラスト力は、スラスト軸受６によって吸収される。ラジアル軸受９に隣接する支持フランジ１０は、外周面で、ケーシング８にガイドされているので、組立に起因する同軸的なずれは生じない。
【００１３】
支持面１０は、エンドケーシング１１によって軸方向で固定される。
【図面の簡単な説明】
【００１４】
【図１】本発明によるスクリュ圧縮機を示す縦断面図である。
【符号の説明】
【００１５】
１  主ロータ、  ２  副ロータ、  ３  駆動軸端部、  ４  軸付加部、  ５  ラジアル軸受、  ６  スラスト軸受、  ７  インレットポート、  ８  アウトレットポート、  ９  ラジアル軸受、  １０  支持フランジ、  １１  エンドケーシング
【図１】
0005441324.tif 000002
(57)【特許請求の範囲】
【請求項１】
上端にストッパーを、下端に裾折り返し部を、全周に備えた輪状の手袋装着部と、前記手袋装着部から垂直方向に延在した形状保持棒とを有する、ゴム手袋ずり落ち防止具。
【発明の詳細な説明】
【技術分野】
【０００１】
本発明は、ゴム手袋を使用した際に、使用中の手袋がずり落ちるのを防止するとともに、手袋の裾口から水滴がたれることを防止する機能を備えた、ゴム手袋ずり落ち防止具に関する。
【背景技術】
【０００２】
ゴム手袋を使用する際、ゴムの劣化に伴い、手首より上部分がたわんでしまい、ゴム手袋の裾口が下がってしまい、裾口から水が入りやすくなってしまう。
【０００３】
また、手を上に向けた時には、水滴が手袋を伝い、裾口部分から滴り、腕や衣類が濡れてしまうことがあった。また、そのためにゴム手袋の裾部分を折り返した形状で、水滴の滴りを防止するゴム手袋があるが、割高である。
【０００４】
ゴム手袋がずり落ちないようにするために、二の腕までを覆う長いゴム手袋もあるが、広い部分を手袋で覆うので中で手が蒸れてしまい、暑い時期には使いたくない。
【０００５】
ゴム手袋をずり落ちないようにするために、ゴム手袋の手挿入口をゴムで止めたりする方法があるが、この方法では手を動かしているうち手の動きによって、抑えているゴム部分がずれてしまい、ずり落ちた場所のままで固定されてしまうことがあり、直すのが面倒である。また、裾口がゴムにより閉じてしまうので、手袋内が暑くなり、不快である。
【０００６】
ゴム手袋がたわんで手首の方までずり落ちてしまうのを防止するために、ゴム手袋内に棒状の部材を装着するものがある。この場合、棒状の部材の一端にはクリップを設けており、ゴム手袋の端部開口部にクリップを固定し、他端にはクッション部を設けており、ゴム手袋を装着した時に、手袋内部でクッション部分が手の甲部分にあたるように装着すると、手の甲から手袋裾口まで心棒が入ったようになるので、ゴム手袋がたわまないようになる構造のものである（たとえば特許文献１参照）。
【先行技術文献】
【特許文献】
【０００７】
【特許文献１】特開２００８−２０４４号公報
【発明の概要】
【発明が解決しようとする課題】
【０００８】
本発明が解決しようとする課題は、ゴム手袋の使用時に手首より裾口までがたわむことによって、手袋がずり落ちてしまうので洗いづらくなったり、手袋の裾口部分が落ちることによってそこから水がゴム手袋内に入ってきたり、手を上にあげた時など、水滴が手袋をつたい、手袋裾口から落ちる水滴で腕や洋服が濡れてしまうなどの不便なことである。
【課題を解決するための手段】
【０００９】
本発明は、裾折り返し部を全周に備えた輪状の手袋装着部と、前記手袋装着部から垂直方向に延在した形状保持棒とを有する、ゴム手袋ずり落ち防止具である。
【発明の効果】
【００１０】
本発明は、手袋装着部と形状保持棒が連結されていることで、ゴム手袋の手挿入口は輪状円柱の形の通りに広く開いたまま保持でき、ゴム手袋の手挿入口より手の甲までを、形状保持棒がゴム手袋内部で心棒になりゴム手袋の手首から手挿入口までを支えるので、手袋の手挿入口がずり落ちてくることがない。手挿入口まで伝わった水滴は、裾折り返し部の反り返しで止まり、洋服や腕などを濡らすことはない。
【図面の簡単な説明】
【００１１】
【図１】本発明の一実施例を示す斜視図である。
【図２】本発明の一実施例を示す側面図である。
【図３】本発明の図１に示されたもののA−A線に沿った断面図である。
【図４】本発明の使用状態を示す斜視図である。
【図５】本発明の他の使用状態を示す斜視図である。
【発明を実施するための形態】
【００１２】
以下、本発明を図面を参照し詳細について説明する。
手袋装着部（１）は、テーパー部（７）を有した輪状の形状であり、上端にはゴム手袋（８）の装着時、ゴム手袋（８）を保持できるように、ゴム手袋の端部開口より径大なストッパー（２）が一体に形成されていて、下端には外側に反り返った形状の裾折り返し部（５）が設けられている。この裾折り返し部（５）は、手袋装着部（１）の輪状の全周にわたって設けられている。
【００１３】
形状保持棒（３）の一端は、手袋装着部（１）のストッパー（２）の一部分を切り欠いた部分から裾折り返し部（５）まで延び、手袋装着部（１）のテーパー部（７）に接着されている。形状保持棒（３）の他端は手袋装着部（３）からほぼ垂直方向に延びていて、その先端にはスポンジやウレタンなど、皮膚と接触した際に柔らかい感触を持たせるために弾力のある素材のクッション（４）が設けられている。
【００１４】
ストッパー（２）部分には、すべり止め効果のある樹脂を塗布してもよいし、すべり止め効果のある別素材をはめ込んでもよい。それによって、ゴム手袋（８）と手袋装着部（１）の保持力を高めることができる。
【００１５】
形状保持棒（３）のクッション（４）部分は、丸型に限らず、花型などを模した形状でもよい。
【００１６】
形状保持棒（３）、平板な板状に限らず、丸棒のものでもよい。
【００１７】
テーパー部（７）は、ストッパー（２）から裾折り返し部（５）に向かって、径大に形成されているが、この形状に限定されず、同径あるいは径小に形成されていてもよい。
【００１８】
手袋装着部（１）と、形状保持棒（３）は、上記の実施例に限定されず、テーパー部（７）の内側に接着してもよいし、テーパー部（７）に保持部を形成し、その中に形状保持棒（３）の一端を差し込んで固定するようにしてもよい。
【００１９】
本発明品を使用するときには、形状保持棒（３）は手袋の内側に、手（９）の甲側になるようにゴム手袋（８）を手袋装着部（１）にはめ込む。ゴム手袋（８）の端部開口部は、ストッパー（２）により一部分が伸びて保持される。ゴム手袋（８）に手（９）を挿入すると、形状保持棒（３）の先のクッション（４）部分は手の甲部分にあたり、そのクッション（４）で手の甲と手袋の隙間を埋めることによって、手袋内で形状保持棒（３）の位置を固定することができる。ゴム手袋内で形状保持棒（３）が心棒となり、ゴム手袋の手首から手挿入口（６）まで、たわむことなく、形状を保持することができる。また、濡れた手袋をはめた状態で指先を上に向けると、水滴が手挿入口（６）まで滴り落ちてくるが、裾折り返し部（５）の反り返った部分で遮られ溜まり、腕や洋服を濡らすことがない。手袋装着部（１）は輪状をしたテーパー部（７）を有しているので、ゴム手袋装着時はいつも手袋の端部開口部が開いている状態になるので、ゴム手袋を使用していないときでも、本発明品を装着したまま干せば、空気もよく入り、内部がよく乾く。
【符号の説明】
【００２０】
１  手袋装着部
２  ストッパー
３  形状保持棒
４  クッション
５  裾折り返し部
６  手挿入口
７  テーパー部
８  ゴム手袋
９  手
【図１】
0005554676.tif 000002
【図２】
0005554676.tif 000003
【図３】
0005554676.tif 000004
【図４】
0005554676.tif 000005
【図５】
0005554676.tif 000006
(57)【特許請求の範囲】
【請求項１】
根昆布に熱を加えた後、根の部分を上にして根昆布の左右の部分を切ることにより、口に入れやすく、物がすくいやすい形に整えることを特徴とする根昆布スプーンの製造方法。  
【発明の詳細な説明】
【技術分野】
【０００１】
根昆布スプーンの製造方法
【背景技術】
【０００２】
今までの根昆布の使用方法は堅いと言う難点から水でダシを採るか佃煮にすると言う水分と合わせる方法が用いられている。
【先行技術文献】
【特許文献】
【０００３】
【特許文献１】現在、根昆布の堅さが難点でそのまま口に入れて食べると言うことができず、栄養価の高い根昆布はダシや佃煮、細かく刻んで卵焼きに入れるなどと言う一般的な根昆布の使用方法しかないと思われています。
【発明の概要】
【発明が解決しようとする課題】
【０００４】
現在、根昆布の堅さが難点でそのまま口に入れて食べると言うことができず、栄養価の高い根昆布はダシや佃煮、細かく刻んで卵焼きに入れるなどと言う一般的な根昆布の使用方法しかないと思われています。
【課題を解決するための手段】
【０００５】
本発明者は上記課題を解決するために、試作を重ねた結果、今までにない、難点に思われていた堅さを利用し、昆布のなかでも一番栄養価の高いうま味を直接食べるという事を特徴とする根昆布スプーンの製造方法とする。
【発明の効果】
【０００６】
本発明の原料を海水から直接、昆布を天日干しや乾燥機などを使い完全に一度乾燥させた昆布の根の部分を切り、根昆布を口に入れやすい大きさに両端を切ってからオーブンなどで一度焼いて、形を整えて冷ますと根昆布に含まれているヨウ素・アルギン
酸・ラミニン・フコイダン・ミネラルなど多くの高い栄養素をもつ事を特徴とする根昆布スプーンの製造方法とする。
【発明を実施するための形態】
【０００７】
以下、本発明の実地の形態について詳細に説明します。請求項１は海水から昆布を何らかのかたちで天日干しや乾燥機で一度乾燥させます。その後根昆布と言われる部位を切り、口に入れやすい大きさに両端を切りオーブンなどで焼き形を整えてか
ら冷まします。昆布本来が持っているヨウ素・アルギン酸・ラミニン・フコイダン・ミネラルや食物繊維のほか多くの栄養分やうまみが十分含んだ根昆布スプーンをアイス、茶わん蒸し、お茶漬けなどを栄養価の高い根昆布スプーンで食べれると言う事を特徴とする根昆布スプーンの製造方法です。
【実施例】
【０００８】
今発明はまず今までにない堅い根昆布を昆布本来の栄養素を最大限により高い栄養素を直接食べる事を特徴とする根昆布スプーンの製造方法とする。最近は健康志向の方が増え身体に良い食品をと考えている方が多く、根昆布から出る栄養の効能はアルギン酸やフコイダンという水溶性の食物繊維が、血液中のコレステロールを減らして動脈硬化や心筋梗塞、脳血栓などの血液の流れに関する病気の予防に大いに力を発揮すると言われている根昆布を直接食べる事が出来ると言う事を特徴とする根昆布スプーンの製造方法とする。
【産業上の利用可能性】
【０００９】
本発明は根昆布の堅さが難点として根昆布は粉末にするか刻むか水分でうるかすか佃煮にすることでしかない根昆布の使用方法を根の両端を切り、根昆布を焼く事で昆布の風味を出し、口に入れやすい形に利用して枝を持ち根の部分をスプーン代わりに茶わん蒸しやアイスなど食品と一緒に根昆布を食べることにより堅い根昆布が適度な柔らかさになり、最後にはかめるほどになりそのまま食べることができると言う今までにはない新規の根昆布の使用価値が高まると言う特徴とする根昆布の製造方法とする
【符号の説明】
【００１０】
１  原料昆布  ２  本発明に係わる根昆布のスプーンの製造工程
【要約】
【課題】現在、根昆布は堅さが難点で水分を含ませるか刻んでダシを採る方法しかなく根昆布そのものを直接口に入れる事はできなく、なんらかの処理をしないど根昆布の栄養がとりいれることができないと言う問題がある
【解決手段】昆布を何らかのかたちで天日干しや乾燥機で一度乾燥させます。その後根昆布と言われる部位を切り、口に入れやすい大きさに両端を切りオーブンなど
【選択図】なし
(57)【特許請求の範囲】
【請求項１】
ロープの一端２をＵの字に折り曲げ、ロープの他端部３を、前記のＵの字の間から引き通し、引き通したロープを他端部３からＵの字を形成する二本のロープに巻きつけ、さらに、Ｕの字の間から引き通したロープと巻きつけた二本のロープとの間から、ロープの他端部３を引き通しシートベントの結びを構成することにより輪状構造のスリングを形成し、輪状の引き手スリング１を、前記のＵの字の折り返し部分に交差させて取り付け、なおかつ、この引き手スリング１の一部と、ロープの他端部３もしくはロープの他端部３の近傍が結合していることを特徴とする輪状のスリング。
【発明の詳細な説明】
【技術分野】
【０００１】
本発明は、一本のロープをシートベントの結び方で輪状構造のスリングをつくり（図２）、輪のつなぎ目のＵの字の部分（図４）に輪状の引き手スリング１を交差（図６及び図７）させることで、引き手スリング１とロープの一端２を引き合うことでスリングの外周が小さくなり引き手スリング１とスリングの結び目の一方側の部分４を引き合うことで、スリングの外周が大きくなる。
【０００２】
引き手リング１を離した位置で、スリングの結び目の一方側の部分４とスリングの結び目の他方側の部分５のロープの長さは伸びない。つまり、スリングの輪の円周の長さは固定される。
【０００３】
引き出しリング１とロープの他端３もしくはロープの他端の近傍を結合することで、スリングの結び目の一方側の部分４と、スリングの結び目の他方側の部分５との間の結び目の連結部分が、伸びすぎて結び目が解けないように結び目が緩む範囲を限定することで結び目が解けないようにした。
【背景技術】
【０００４】
特許文献１のように、ベルト、丸紐等を、自在に長さ調節ができ簡易に締結ができる連結具や調節用固定具が数多く考案されている
【先行技術文献】
【特許文献】
【０００５】
【特許文献１】特開２００３−００９９１０
【発明の概要】
【発明が解決しようとする課題】
【０００６】
対象物をロープで縛るとき、長さ調節や固定するための器具を用いる場合にはロープの径の制限があり、太いロープや細いロープなど様々なロープ径に対応する器具を揃えなければならない。
【０００７】
固定と解除の機能を器具に求めるために器具の小型化に限界があり、器具の幅よりも小さな物を十分に締め付けることがむずかしい。
【課題を解決するための手段】
【０００８】
一本のロープをシートベントの結び方で図１のような輪状構造のスリングをつくり、図３の輪のつなぎ目のＵの字の部分に、図７のように輪状の引き手スリング１を交差させて取り付けることで、引き手スリング１を引くことでＵの字が広がり結び目が緩むことで、スリングの外周の伸縮をなめらかに行い、さらに、図７のように、引き手スリング１とロープの他端３を接合することでシートベントの結び目が完全に解けないようにした
【発明の効果】
【０００９】
従来のシートベントの結び目に引き手スリング１をつけただけの簡易な構造で、ロープの径を選ばない。
【００１０】
器具を使わないので、幅の狭い対象物にも適合できる。
【００１１】
かさばらず簡易な構造で安価なコストで作ることができる
【図面の簡単な説明】
【００１２】
【図１】伸縮が自在で締め付けと解除が随意にできるスリングの全体図
【図２】スリングの外周を大くして固定した図
【図３】シートベントの結びの順序１
【図４】シートベントの結びの順序２
【図５】シートベントの結びの順序３
【図６】引き手スリングの取り付け順序１
【図７】引き手スリングの取り付け順序２
【発明を実施するための形態】
【００１３】
本発明を人の額に当接し、引き手スリングを頭部後方にして締め付けることで、頭部からの汗が眼に入らないようにする汗止めバンドとして使用。
【００１４】
本発明のスリングに、タオルなどの小物を小さく畳んで挿入し、引き手スリング１とロープの結び目の一方側４を引きあうことで小さく折り畳んだ状態を維持でき、引き手スリングを引くことで容易に締め付けを解除できる。
【符号の説明】
【００１５】
１  引き手スリング
２  ロープの一端
３  ロープの他端
４  スリングの結び目の一方側の部分
５  スリングの結び目の他方側の部分
６  引き手スリングとロープの他端の接合部
【図１】
0005554808.tif 000002
【図２】
0005554808.tif 000003
【図３】
0005554808.tif 000004
【図４】
0005554808.tif 000005
【図５】
0005554808.tif 000006
【図６】
0005554808.tif 000007
【図７】
0005554808.tif 000008
(57)【特許請求の範囲】
【請求項１】
熱交換容器へ弁を介して加熱用の流体を供給する加熱流体供給管を接続すると共に、前記熱交換容器の内部を減圧状態に維持する吸引手段を接続して、前記熱交換容器の被熱交換物を加熱するものにおいて、
加熱用の流体を蒸気とすると共に、
前記熱交換容器を平板状として、この平板状熱交換容器の上端面に水平状に熱交換面を形成し、
前記加熱流体供給管の熱交換容器側端部を、水平状の熱交換面とは反対側の前記熱交換容器の円弧状底面に向けて開口したこと
を特徴とする蒸気加熱装置。
【発明の詳細な説明】
【技術分野】
【０００１】
本発明は、熱交換容器の内部を減圧状態にして、被熱交換物を加熱する蒸気加熱装置に関する。
【背景技術】
【０００２】
従来の蒸気加熱装置は、反応釜の加熱及び冷却用流体室に加熱用蒸気と、ポンプ装置の吐出水の一部とを切り換え供給できるように供給路と弁手段を設けたもので、加熱から冷却あるいは冷却から加熱への切換え時に、温度変化をなだらかなものとすることができるものである。
【０００３】
上記従来の蒸気加熱装置では、熱交換容器の熱交換面に蒸気による加熱温度ムラを発生する問題、特に、熱交換容器の熱交換面が水平状である場合に、加熱温度ムラを発生してしまう問題があった。
【先行技術文献】
【特許文献】
【０００４】
【特許文献１】特開平１−３１５３３６号公報
【発明の概要】
【発明が解決しようとする課題】
【０００５】
解決しようとする問題点は、熱交換容器の熱交換面が水平状の場合であっても、蒸気による加熱温度ムラを発生することのない蒸気加熱装置を得ることである。
【課題を解決するための手段】
【０００６】
本発明は、熱交換容器へ弁を介して加熱用の流体を供給する加熱流体供給管を接続すると共に、熱交換容器の内部を減圧状態に維持する吸引手段を接続して、熱交換容器の被熱交換物を加熱するものにおいて、加熱用の流体を蒸気とすると共に、熱交換容器を平板状として、この平板状熱交換容器の上端面に水平状に熱交換面を形成し、加熱流体供給管の熱交換容器側端部を、水平状の熱交換面とは反対側に開口したものである。
【発明の効果】
【０００７】
本発明は、熱交換容器を平板状として、加熱流体供給管の熱交換容器側端部を、水平状の熱交換面とは反対側に開口したことにより、加熱流体供給管から熱交換容器へ供給される蒸気は、平板状の熱交換容器の底面に向けて供給され、この底面に一旦衝突した後に、熱交換容器内へ分散して供給されることにより、熱交換面の全体を均一に加熱することができる。
【図面の簡単な説明】
【０００８】
【図１】本発明に係る蒸気加熱装置の実施例を示す構成図である。
【発明を実施するための形態】
【０００９】
本発明は、加熱流体供給管の熱交換容器側端部を、水平状の熱交換面とは反対側に開口するものであるが、開口する位置は、熱交換容器の形状に応じて適宜選定することができる。
【実施例】
【００１０】
図１において、円筒状で平板状の熱交換容器１と、この熱交換容器１の上端面に水平状に形成した熱交換面２と、熱交換容器１の内部へ蒸気を供給する加熱流体供給管３、及び、熱交換容器１の下方に連通した吸引手段６とで蒸気加熱装置を構成する。
【００１１】
加熱流体供給管３には、熱交換容器１へ供給する蒸気の量を制御するための制御弁７を取り付ける。加熱流体供給管３の熱交換容器１側端部２３を、熱交換容器１のほぼ中央部で、水平状の熱交換面２とは反対側の底面２０に向けて開口する。この熱交換容器１側端部２３から、熱交換容器１の底面２０へ向けて蒸気が供給されることで、熱交換容器１内へ分散して蒸気が供給されるものである。
【００１２】
熱交換容器１に冷却水を供給する冷却水供給管５を接続して、熱交換容器１を冷却することもできるようにする。冷却水供給管５の下端は吸引手段６の一部と接続する。冷却水供給管５には、水エゼクタ１１と自動弁１２を介在して、熱交換容器１の内部と接続する。自動弁１２が開弁することにより、熱交換容器１の内部へ冷却水が供給されるものである。冷却水供給管５の熱交換容器１側端部２１には、冷却水を熱交換面２側へ噴射することのできる噴射ノズルを取り付けることが望ましい。
【００１３】
冷却水供給管５に取り付けた水エゼクタ１１の吸込室には蒸気供給管１６を接続する。水エゼクタ１１内を流下する冷却水に、蒸気供給管１６から加熱用の蒸気を供給することで、熱交換容器１へ供給する冷却水の温度を調節することができるものである。
【００１４】
冷却水供給管５に取り付けた自動弁１２と並列に、冷却水循環弁１８を取り付ける。冷却水循環弁１８は、熱交換容器１を冷却する場合に常時、微少開弁しておき、自動弁１２が閉弁しても、少しの冷却水を熱交換容器１内へ供給して、冷却水の一部を絶えず循環するものである。
【００１５】
熱交換容器１の円弧状の底面２０から管路８によりスチームトラップ４の入口側と接続する。スチームトラップ４と並列に開閉弁９を取り付ける。スチームトラップ４と開閉弁９の出口側は、吸引手段６を構成する液体エゼクタ１３の吸込室１０と接続する。
【００１６】
吸引手段６を、液体エゼクタ１３と冷却水タンク１４と循環ポンプ１５とで構成する。循環ポンプ１５の駆動によって、冷却水タンク１４内の冷却水を液体エゼクタ１３へ供給して吸込室１０で所定の吸引力を発生すると共に、冷却水供給管５から熱交換容器１へ冷却水を供給するものである。
【００１７】
冷却水タンク１４の上部に、冷却水補給管３０を接続すると共に、循環ポンプ１５の吐出側の管路を分岐して余剰水排出管１７を接続する。
【００１８】
熱交換面２を加熱する場合は、加熱流体供給管３と制御弁７から熱交換容器１内へ所定量の蒸気を供給することによって、蒸気によって加熱される。加熱流体供給管３の熱交換容器１側端部２３を、水平状の熱交換面２とは反対側の底面２０に向けて開口したことで、熱交換容器１内へ分散して蒸気が供給され、加熱温度ムラを防止して、熱交換面２の全体を均一に加熱することができる。
加熱により蒸気の凝縮した復水は、熱交換容器１下端の管路８からスチームトラップ４を通り、更に、液体エゼクタ１３から冷却水タンク１４へと至る。
【００１９】
一方、熱交換面２を冷却する場合は、冷却水供給管５の自動弁１２を開弁して熱交換面２の底面へ冷却水を供給することによって、熱交換面２の熱により冷却水が蒸発気化して、その蒸発潜熱でもって冷却することで、冷却効率を向上することができる。
気化した蒸気と、気化し切れなかった冷却水は、管路８から開閉弁９を通り、更に、液体エゼクタ１３から冷却水タンク１４へと至る。
【産業上の利用可能性】
【００２０】
間接的な加熱を行うさまざまな蒸気加熱装置として適用できる。
【符号の説明】
【００２１】
１  熱交換容器
２  熱交換面
３  加熱流体供給管
５  冷却水供給管
６  吸引手段
７  制御弁
１０  吸込室
１３  液体エゼクタ
１４  冷却水タンク
１５  循環ポンプ
２３  熱交換容器側端部
【図１】
0005485625.tif 000002
(57)【特許請求の範囲】
【請求項１】
浴槽などの曲面や入り隅の多い場所を清掃し易いように構成した柄付清掃用具
であって、
前記清掃用具は、操作用柄棒  （１）  、  清掃部材取り付け板  （４）  及び清掃部材
からなり、
前記取り付け板  （４）  には、その中央部に、操作用柄棒  （１）  を自在固定する
自在柄取り付け部  （２）  が形成されて、前後運動させ易くなっており、
前記取り付け板  （４）  は、適度な軟性及び硬性復元力のある材で構成され、さら
に中央部の前記自在柄取り付け部  （２）  に向かって厚みを増加させた形状を有し
ており、
浴槽等の凹曲面への侵入時、清掃部材取り付け板  （４）  がU字状態を形成する
ことで強度を増し曲面底部の線状加圧をしながら通過移動でき、浴槽の隅曲面等
の凹曲面に対しても順応可能であることを特徴する柄付清掃用具。
【発明の詳細な説明】
【技術分野】
【０００１】
本発明は、柄付掃除道具のヘッドである清掃部材取り付け板を軟性及び復元力のある材とし、柄取り付け部より外部に軟性させることで、清掃具材を手で押さえて洗う、手洗い感で隅曲面の底部に順応できる清掃部材取り付け板である。
【背景技術】
【０００２】
浴槽など隅曲面が多い場所を清掃する場合、清掃具材を直接手のひらで押さえ、浴槽曲面に密着させるために、手の指や平の微妙な軟性運動により清掃具材を保持した。また清掃具材自体が凹凸や曲部に対応しやすいスポンジや毛の弾力を用いた清掃具がある。
【０００３】
これらを清掃部に用いた従来型の柄付き清掃用具は、浴槽などの曲面の多い箇所では、使い難い場合が多い。材の軟性を利用したスポンジ型は、厚みを大きくするか支持板より広めにすることで、入り隅部に対応させたものや、スポンジやウレタンフォームを積層させ、支持板より広めに固定し軟度を持たせたものがある。
【０００４】
しかしスポンジ系の柔らかい材で厚みを持たせたものは、加圧力が分散しスポンジの復元圧のみが清掃部に伝わり圧力不足による清掃不良の問題が起きる。
またウレタンとスポンジを積層した材は支持板より遠い部分が撓る程度であり、入り隅底部に密着清掃が出来るのは周辺部に限定されるため、周辺一部の反れる部分で繰り返し擦る運動に限定される。
これら以前の工法では内曲面に対応させるため固定板を縮小しても、接地方が平面接地より点接地になってしまう。
【０００５】
この改善策として、手で掃除用具を持って洗う場合の状態を柄付き掃除用具の掃除部に再現するため、従来の掃除部材固定板を撓り復元力のある材で自在固定とし掃除部材に加わる手の平の運動に近ける。
【先行技術文献】
【特許文献】
【０００６】
特表２００８−５２２７７１広報    特開平０８−０００５２２号広報
【発明の開示】
【発明が解決しようとする課題】
【０００７】
掃除部材受け板の従来構造は凹凸や内曲面はスポンジ材等の厚みを大きくし、これらは清掃部受け板の硬性のためで内曲面の底部に十分な加圧が加えられないためである。又は掃除部材受け板の面積を小さめにし、外周部の撓りで清掃部としてきた、しかし力点が外周部にあるため支持板を自在とすることが出来ない。支点を柄の取り付く支持具中心部とする必要がある。
【課題を解決するための手段】
【０００８】
本発明は、柄付き掃除具の清掃部材固定支持板を半軟性化した厚みを変えた支持板を操作用柄棒と自在固定とし柄に取り付く、自在固定具の下部に支持板を押さえ込み易い、前後運動に適したT型状にし、曲面底部に圧着出来るように構成する。
【発明の効果】
【０００９】
本発明の掃除用具は、適度な軟性を持ち復元力があり、厚みの変えた清掃部材受け具により、掃除部と、その受け板間のクッション材を薄くでき、吸水量が少なく軽量で掃除部を平面及び曲面底部とスライドさせることが出来る。また力点を支持具の下部に横線状する事が出来るため、曲面低部に圧着しやすくなった。
【発明を実施するための最良の形態】
【００１０】
清掃部材取り付け板の適度な軟性化及び加圧支持方向により清掃部面が平面より横線状に変化できるため、曲面部の多い場所での使用や清掃部材の多種で適用できる。 
【実施例１】
【００１１】
図１は、本発明掃除部受け具の１実施例のイメージ図である。また、１は持ち手部の柄である、２は自在柄取り付け部、３は柄取り付けピン、４は掃除部材取り付け板である。
【００１２】
柄１より加えられた力が固定ピン３に伝えられこの自在柄取り付け部２は外周部より厚みを持ち、加えられた力が支持される。 
【００１３】
清掃部材取り付け板４はポリエチレン無架橋発泡体で適度な硬性と復元力があり、浴槽などの内曲面の多い場所でも外周部の厚みを薄くし硬度を変え曲面底部へ侵入しやすい構造とする。
【００１４】
柄付き掃除具は運動方向が主に前後運動であるため、これと直角方向に押さえ込めるように柄取り付けピン３が、ある程度の曲面の底部を圧着することが出来る。
【００１５】
またある程度曲面のアールが小さい場合、空間が出来ないよう清掃部材取り付け板４の下部に張力逃げの切り込み５を施すか、または取り付け板４と清掃部材の間に薄い軟質ウレタンを張り小アールに対応する。
【００１６】
上記において示したように、清掃部材取り付け板の構造を適度の軟材とし、必要箇所に応じ反り強度と復元力を配分させた構造で、掃除部材の前後運動に対応する直角方向の横長で押さえこめるよう柄取り付けピン３が配置され曲面底部へ押さえ込み時に清掃部材取り付け板４がU字型に変形し強度が増し、線状に広く圧着させることができた。
【００１７】
また清掃部材取り付け板４は掃除部材取り付け板支持部の上部２と柄取り付けピン３下部で力が加わる、連続の使用で屁たれ等が起こってきた場合、清掃部材の交換同様に柄取り付けピン３をはずし交換できる。
【産業上の利用可能性】
【００１８】
掃除具材取り付け板が軟性のため洗浄部の凹凸や曲面に対し順応できるため、クッション材の厚みを極力薄くでき
掃除具材の材質を、（不織布・メラミンフォーム・パットブラシなど）多種を使用でき、浴槽や自動車など曲面や細部の多い場所で効果を発揮できる。
【図面の簡単な説明】
【００１９】
【図１】掃除部材取り付け板と柄の構成を示したイメージ図である。
【図２】掃除部材取り付け板の縦断面図である。
【図３】掃除部材取り付け板の横断面図である。
【符号の説明】
【００２０】
１ 持ち手部柄
２ 掃除部材取り付け板支持部
３ 柄取り付けピン
４ 清掃部材取り付け板
５ 張力逃げ切り込み
【図１】
0005485756.tif 000002
【図２】
0005485756.tif 000003
【図３】
0005485756.tif 000004